(57)【要約】【課題】ユーザ個々に合った楽曲を簡単な操作で収集する。【解決手段】各楽曲データに関連付けられた所定の情報を管理する楽曲データベースと、ユーザに関するユーザ情報を複数記憶したユーザ情報記憶手段と、ユーザ情報記憶手段から一つのユーザ情報を抽出するユーザ情報抽出手段と、該抽出されたユーザ情報に基づいて楽曲データベースを検索し、その検索結果を出力する検索結果出力手段とを具備したオーディオ装置を提供する。【選択図】図３
2008009587.tif 000002
【特許請求の範囲】
【請求項１】
複数の楽曲データを保持したオーディオ装置において、
各楽曲データに関連付けられた所定の情報を管理する楽曲データベースと、
ユーザに関するユーザ情報を複数記憶したユーザ情報記憶手段と、
前記ユーザ情報記憶手段から一つのユーザ情報を抽出するユーザ情報抽出手段と、
該抽出されたユーザ情報に基づいて前記楽曲データベースを検索し、その検索結果を出力する検索結果出力手段と、を具備したこと、を特徴とするオーディオ装置。
【請求項２】
該所定の情報は楽曲の発売日情報を含み、該ユーザ情報は当該ユーザの誕生年月日情報を含んでおり、
前記検索結果出力手段は、該発売日情報と該誕生年月日情報との比較結果に基づいて検索結果を得ること、を特徴とする請求項１に記載のオーディオ装置。
【請求項３】
該所定の情報は楽曲名を更に含み、
前記検索結果出力手段は、前記楽曲データベースの中から、該誕生年月日以降に発売された楽曲の楽曲名を収集し、その収集結果を出力すること、を特徴とする請求項２に記載のオーディオ装置。
【請求項４】
ユーザによる入力を受け付ける入力手段を更に具備し、
前記ユーザ情報抽出手段は、前記入力手段による第一の入力に基づいて一つのユーザ情報を抽出すること、を特徴とする請求項１に記載のオーディオ装置。
【請求項５】
該所定の情報は楽曲の発売日情報を含み、該ユーザ情報は当該ユーザの誕生年月日情報を含んでおり、
前記入力手段による第二の入力及び該誕生年月日情報に基づいて特定の期間を算出する期間算出手段を更に具備し、
前記検索結果出力手段は、該発売日情報と該特定の期間との比較結果に基づいて検索結果を得ること、を特徴とする請求項４に記載のオーディオ装置。
【請求項６】
該所定の情報は楽曲名を更に含み、
前記検索結果出力手段は、前記楽曲データベースの中から、該特定の期間内に発売された楽曲の楽曲名を収集し、その収集結果を出力すること、を特徴とする請求項５に記載のオーディオ装置。
【請求項７】
該出力された検索結果に基づいてプレイリストを作成するプレイリスト作成手段を更に具備したこと、を特徴とする請求項１から請求項６の何れかに記載のオーディオ装置。
【請求項８】
該作成されたプレイリストに基づいて楽曲データを処理して再生する音楽再生手段を更に具備したこと、を特徴とする請求項７に記載のオーディオ装置。
【請求項９】
該所定の情報は、楽曲データが記録されている記録ディスクのＴＯＣ（Table of contents）部分に含まれた情報であること、を特徴とする請求項１から請求項８の何れかに記載のオーディオ装置。
【請求項１０】
外部端末と通信するための通信手段を更に具備し、
該所定の情報は、前記通信手段を介して、楽曲に関する情報を保持した外部サーバから取得される情報であること、を特徴とする請求項１から請求項９の何れかに記載のオーディオ装置。
【請求項１１】
前記外部サーバはＣＤＤＢ（CD DataBase）を保持したサーバであること、を特徴とする請求項１から請求項１０の何れかに記載のオーディオ装置。
【請求項１２】
複数の楽曲の楽曲情報を管理した楽曲データベースと、
ユーザに関するユーザ情報を複数記憶したユーザ情報記憶手段と、
前記ユーザ情報記憶手段から一つのユーザ情報を抽出するユーザ情報抽出手段と、
該抽出されたユーザ情報に基づいて前記楽曲データベースを検索し、その検索結果を出力する検索結果出力手段と、を具備したこと、を特徴とするオーディオ装置。
【請求項１３】
複数の楽曲の楽曲情報を管理した楽曲データベースの中からユーザ個々に合った楽曲を検索するための楽曲検索方法であって、
所定の記録媒体に格納されているユーザに関する複数のユーザ情報の中から一つのユーザ情報を抽出するユーザ情報抽出ステップと、
該抽出されたユーザ情報に基づいて前記楽曲データベースを検索する楽曲検索ステップと、
その検索結果を出力する検索結果出力ステップと、を含む楽曲検索方法。
【請求項１４】
該楽曲情報は楽曲の発売日情報を含み、該ユーザ情報は当該ユーザの誕生年月日情報を含んでおり、
前記楽曲検索ステップでは、前記楽曲データベースの中から、該誕生年月日以降に発売された楽曲の楽曲情報を収集したものを検索結果として得ること、を特徴とする請求項１３に記載の楽曲検索方法。
【請求項１５】
該楽曲情報は楽曲の発売日情報を含み、該ユーザ情報は当該ユーザの誕生年月日情報を含んでおり、
ユーザによる入力を受け付ける入力ステップと、
該入力及び該誕生年月日情報に基づいて特定の期間を算出する期間算出ステップを更に含み、
前記楽曲検索ステップでは、前記楽曲データベースの中から、該特定の期間内に発売された楽曲の楽曲情報を収集したものを検索結果として得ること、を特徴とする請求項１３に記載の楽曲検索方法。
【請求項１６】
請求項１３から請求項１５の何れかに記載の楽曲検索方法をコンピュータに実行させるための楽曲検索プログラム。
【発明の詳細な説明】
【技術分野】
【０００１】
この発明は、楽曲を再生させることが可能なオーディオ装置に関する。また、複数の楽曲の楽曲情報を管理した楽曲データベースの中からユーザ個々に合った楽曲を検索するための楽曲検索方法及びプログラムに関する。
【背景技術】
【０００２】
近年、楽曲に関する情報を管理した楽曲データベース（例えばＣＤＤＢ（CD DataBase））が広く知られ、多くのユーザに利用されている。例えば下記特許文献１では、ユーザの嗜好に基づいて楽曲データベースを検索し、その嗜好に応じたプレイリストを生成して端末に送信するシステムが提案されている。
【特許文献１】特開２００２−７３０４１号公報
【０００３】
例えば上記特許文献１に記載の端末のように楽曲を再生することができる機器は車両にも搭載されている。技術の発展に伴い、このような機器（すなわち車載オーディオ装置）においてもＣＤＤＢから楽曲情報を取得できるものが提案され実用に供されている。
【発明の開示】
【発明が解決しようとする課題】
【０００４】
車載オーディオ装置では、車載器という性質上、運転者が入力操作を行うタイミングが例えば車両停止中（例えば信号待ちしている間）等に限定される。このため、車載オーディオ装置における入力操作は簡便であることが望ましい。
【０００５】
しかし、例えば上記特許文献１に記載のシステムにおいてユーザが所望のプレイリストを取得する場合、当該ユーザは、自分の嗜好に関する種々の情報を端末に入力することになる。このような場合、サーバ側で精細な検索処理が実現される一方で、ユーザにとってはその入力操作が煩雑となる。これは、上述した理由により、車載オーディオ装置のような機器では大きなデメリットとなり得る。
【０００６】
また、例えば一台の車両を家族で共有して使う場合には、単一の車載オーディオ装置を複数のユーザが使用することになる。各ユーザはその嗜好がそれぞれ異なっており、それぞれ所望のプレイリスト（例えば自分の世代に合ったプレイリスト）で楽曲を楽しみたいという要望を持っている。
【０００７】
そこで、本発明は上記の事情に鑑みて、ユーザ個々に合った楽曲を簡単な操作で収集することを可能とする楽曲検索方法、プログラム、及び、オーディオ装置を提供することを課題としている。
【課題を解決するための手段】
【０００８】
上記の課題を解決する本発明の一態様に係るオーディオ装置は複数の楽曲データを保持したオーディオ装置である。このオーディオ装置は、各楽曲データに関連付けられた所定の情報を管理する楽曲データベースと、ユーザに関するユーザ情報を複数記憶したユーザ情報記憶手段と、ユーザ情報記憶手段から一つのユーザ情報を抽出するユーザ情報抽出手段と、該抽出されたユーザ情報に基づいて楽曲データベースを検索し、その検索結果を出力する検索結果出力手段とを具備したことを特徴としたものである。
【０００９】
このように構成されたオーディオ装置によれば、予め保持されているユーザ情報に基づいて検索処理が実行される。このため、例えば検索時における入力項目数の削減、及び、当該ユーザ情報に対応するユーザに合った検索結果が得られるという効果が奏される。すなわち本発明のオーディオ装置によれば、ユーザは、その嗜好に合った楽曲の検索結果を簡単な操作で得ることが可能である。
【００１０】
なお該所定の情報は楽曲の発売日情報を含んだものであっても良い。また該ユーザ情報は当該ユーザの誕生年月日情報を含んだものであっても良い。この場合、上記検索結果出力手段は、例えば該発売日情報と該誕生年月日情報との比較結果に基づいて検索結果を得ることが可能である。ここで、該所定の情報が楽曲名を更に含むとき、上記検索結果出力手段は、楽曲データベースの中から該誕生年月日以降に発売された楽曲の楽曲名を収集し、その収集結果を出力することができる。
【００１１】
また上記オーディオ装置は、例えばユーザによる入力を受け付ける入力手段を更に具備したものであっても良い。この場合、上記ユーザ情報抽出手段は、入力手段による第一の入力に基づいて一つのユーザ情報を抽出するよう動作可能である。
【００１２】
この場合、上記オーディオ装置は、例えば入力手段による第二の入力及び該誕生年月日情報に基づいて特定の期間を算出する期間算出手段を更に具備したものであり得る。このようなオーディオ装置の検索結果出力手段は、該発売日情報と該特定の期間との比較結果に基づいて検索結果を得ることができる。附言するに該所定の情報が楽曲名を更に含むとき、上記検索結果出力手段は、楽曲データベースの中から該特定の期間内に発売された楽曲の楽曲名を収集し、その収集結果を出力することができる。
【００１３】
また上記オーディオ装置は、例えば該出力された検索結果に基づいてプレイリストを作成するプレイリスト作成手段を更に具備したものであっても良い。
【００１４】
また上記オーディオ装置は、例えば該作成されたプレイリストに基づいて楽曲データを処理して再生する音楽再生手段を更に具備したものであっても良い。
【００１５】
ここで該所定の情報は、音楽データが記録されている記録ディスクのＴＯＣ（Table of contents）部分に含まれた情報であっても良い。
【００１６】
また上記オーディオ装置は、例えば外部端末と通信するための通信手段を更に具備したものであっても良い。この場合、上記所定の情報は、通信手段を介して、楽曲に関する情報を保持した外部サーバから取得される情報であり得る。この外部サーバは例えばＣＤＤＢ（CD DataBase）を保持したサーバであっても良い。
【００１７】
また上記の課題を解決する本発明の別の態様に係るオーディオ装置は、複数の楽曲の楽曲情報を管理した楽曲データベースと、ユーザに関するユーザ情報を複数記憶したユーザ情報記憶手段と、ユーザ情報記憶手段から一つのユーザ情報を抽出するユーザ情報抽出手段と、該抽出されたユーザ情報に基づいて楽曲データベースを検索し、その検索結果を出力する検索結果出力手段とを具備したことを特徴としたものである。
【００１８】
また上記の課題を解決する本発明の一態様に係る楽曲検索方法は、複数の楽曲の楽曲情報を管理した楽曲データベースの中からユーザ個々に合った楽曲を検索するための方法である。この楽曲検索方法は、所定の記録媒体に格納されているユーザに関する複数のユーザ情報の中から一つのユーザ情報を抽出するユーザ情報抽出ステップと、該抽出されたユーザ情報に基づいて楽曲データベースを検索する楽曲検索ステップと、その検索結果を出力する検索結果出力ステップとを含む方法である。
【００１９】
ここで、該所定の情報は楽曲の発売日情報を含んだものであっても良い。また該ユーザ情報は当該ユーザの誕生年月日情報を含んだものであっても良い。この場合、上記楽曲検索ステップでは、例えば楽曲データベースの中から該誕生年月日以降に発売された楽曲の楽曲情報を収集したものを検索結果として得ることができる。
【００２０】
また上記楽曲検索方法は、ユーザによる入力を受け付ける入力ステップと、該入力及び該誕生年月日情報に基づいて特定の期間を算出する期間算出ステップを更に含んだものであっても良い。この場合、上記楽曲検索ステップでは、楽曲データベースの中から該特定の期間内に発売された楽曲の楽曲情報を収集したものを検索結果として得ることができる。
【００２１】
また上記の課題を解決する本発明の一態様に係る楽曲検索プログラムは、上記楽曲検索方法をコンピュータに実行させるためのプログラムである。
【発明の効果】
【００２２】
本発明に係る楽曲検索方法、プログラム、及び、オーディオ装置は、ユーザ個々に合った楽曲を簡単な操作で収集することを可能とする。
【発明を実施するための最良の形態】
【００２３】
以下に、図面を参照して、本発明の実施の形態の車載器の構成及び作用について説明する。
【００２４】
図１は、本発明の実施の形態の車載器１００の構成を示したブロック図である。車載器１００には、例えばユーザを目的地に案内するための周知のナビゲーションシステムが実装されている。
【００２５】
車載器１００は、制御部１、ＨＤＤ（Hard Disk Drive）５、入力部６、表示部７、ＲＯＭ（Read Only Memory）８、ＤＲＡＭ（Dynamic Random Access Memory）９、ＳＲＡＭ（Static Random Access Memory）１０、ナビゲーション部１１、ユーザインタフェース１２、画像処理部１３、通信部１４、オーディオ部１５、及び、スピーカ１６を具備する。制御部１は当該車載器１００全体を統括的に制御するよう動作する。また制御部１は計時手段を備えており、例えば現在時刻等を検知可能である。車載器１００の各構成要素は制御部１の制御下で各種処理を実行する。
【００２６】
ナビゲーション部１１は周知の構成を有したものであり、例えばＧＰＳレシーバ（Global Positioning System）、ジャイロセンサ、車速センサを有している。ＨＤＤ５にはナビゲーション用の地図データが格納されている。またＲＯＭ８には、例えばナビゲーション機能を実現するためのプログラムや各種データ等が格納されている。またＤＲＡＭ９やＳＲＡＭ１０は、例えばＨＤＤ５やＲＯＭ８に格納されているプログラムやデータの展開先である。
【００２７】
入力部６はユーザ・オペレーションを成すためのものであり、例えば車載器１００のフロントパネル（不図示）に設置されたメカニカル式の入力キーである。或いは、ユーザインタフェース１２と赤外線通信を行うことによりユーザ・オペレーションを実現させるリモートコントロール機器（不図示）である。例えば電源スイッチは入力部６を構成する一要素である。
【００２８】
表示部７は例えばナビゲーション情報や楽曲に関する情報等を表示するためのものである。附言するに、表示部７は例えば感圧式又は静電式等の周知のタッチ・パネルであり、入力手段を兼ねている。入力部６又は表示部７が操作されると、それに応じた信号がユーザインタフェース１２を介して制御部１に入力する。そして制御部１は、ユーザ・オペレーションに対応した処理が実行されるよう各構成要素を制御する。
【００２９】
例えば入力部６（又は表示部７）を用いて目的地入力のユーザ・オペレーションが行われると、制御部１は、例えばＲＯＭ８に格納されているナビゲーション用のプログラムを読み出して、ＤＲＡＭ９（又はＳＲＡＭ１０）の所定領域に展開して実行する。そしてナビゲーション部１１の各構成要素と連携して動作し、受け渡された測位結果等に基づいて経路検索を行い目的地までの経路を設定する。画像処理部１３は、設定された経路に基づいて周知の画像信号処理を行い、ナビゲーション用画像を生成して表示部７に出力する。ユーザは表示部７に表示されるナビゲーション情報に従うことにより、目的地に向けて車両を走行させることができる。
【００３０】
またオーディオ部１５は、周知のオーディオ装置と同様の構成を有している。オーディオ部１５には、例えばＣＤ（Compact Disc）等の記憶媒体に書き込まれた楽曲を所定の形式の楽曲データにエンコードして取り込む取込機能、通信部１４を介してネットワーク上のサーバ等から楽曲データをダウンロードするダウンロード機能、及び、楽曲データをデコードしてスピーカ１６に出力する機能が備えられている。オーディオ部１５が楽曲データをデコードしてスピーカ１６に出力することにより、ユーザは車内でその楽曲を楽しむことができる。
【００３１】
ＨＤＤ５には地図データ以外に、例えば数千曲の楽曲データが格納されている。これらの楽曲データは例えばオーディオ部１５の取込機能やダウンロード機能で取得されたものである。またＨＤＤ５には、各楽曲データに関する情報を蓄積した楽曲データベースＭＵＤＢ、及び、プレイリストＰＬも格納されている。ここで、図２に、楽曲データベースＭＵＤＢ、及び、プレイリストＰＬを概略的に示す。
【００３２】
楽曲データベースＭＵＤＢは楽曲に関する情報を蓄積したものであり、「アルバム名」、「曲名」、「アーティスト名」、「発売日」、「アドレス」のフィールドを有する。「アルバム名」、「曲名」、「アーティスト名」、及び、「発売日」の各フィールドには、例えばＣＤのＴＯＣ（Table of contents）部分から読み出された楽曲の情報（テキストデータ）がエントリされる。また例えば通信部１４を介してネットワーク上のＣＤＤＢ等からダウンロードした楽曲の情報（テキストデータ）がエントリされる。「アドレス」フィールドには、そのレコードに対応した楽曲データが格納されているＨＤＤ５内のアドレスがエントリされている。
【００３３】
プレイリストＰＬは本実施形態のプレイリスト作成処理により作成される。図３に、プレイリストＰＬを作成するためのプレイリスト作成処理のフローチャートを示す。また図４（ａ）乃至（ｅ）に、プレイリスト作成処理において表示部７で表示される画像を示す。図４（ａ）乃至（ｅ）に示される各画像には幾つかの選択ボタンが含まれる。制御部１はユーザにタッチされた選択ボタンに応じた処理を実行する。
【００３４】
プレイリストＰＬを作成するためのユーザ・オペレーションが成されると、制御部１は、ＲＯＭ８に格納されているプレイリスト作成用のプログラムを読み出して、ＤＲＡＭ９（又はＳＲＡＭ１０）の所定領域に展開して実行する。これにより、例えば図４（ａ）に示された画像が表示部７に表示される。この図４（ａ）の画像は、選択ボタンＵ１、Ｕ２、Ｕ３、及び、Ｅが配列されたものである。選択ボタンＵ１、Ｕ２、Ｕ３は各ユーザの環境にログインするためのものであり、それぞれ「ユーザ１」、「ユーザ２」、「ユーザ３」の文字が付されている。また選択ボタンＥはプレイリスト作成処理を終了させるためのものであり、「終了」の文字が付されている。選択ボタンＥがタッチされると本フローチャートのプレイリスト作成処理は終了する。
【００３５】
表示部７に図４（ａ）の画像が表示されているときにユーザが選択ボタンＵ１、Ｕ２、又はＵ３の何れかをタッチすると（ステップ１：ＹＥＳ、以下、明細書及び図面においてステップを「Ｓ」と略記）、制御部１は、ＨＤＤ５に格納されたユーザデータベースＵＤＢを読み込み、そのタッチされた選択ボタンに対応したユーザ情報について検索を行う。
【００３６】
ここで、図５に、ユーザデータベースＵＤＢを概略的に示す。ユーザデータベースＵＤＢは車両に搭乗し得る各ユーザに関する情報を蓄積したものであり、「ユーザ名」、「誕生日」、「出身地」、「性別」、「選択ボタン」・・・等のフィールドを有する。ユーザは、入力部６（又は表示部７）を操作することで各レコードの各フィールドにデータをエントリさせることができる。なお、車載器１００と連携して動作する装置が誕生日等のユーザ情報を保持する場合、制御部１００は、そのような装置から当該ユーザ情報を抽出し、その抽出情報を用いてユーザデータベースＵＤＢ内にそのユーザのレコードを作成することもできる。車載器１００が例えばＥＴＣ（Electronic Toll Collection System）装置を具備したものであり、当該装置に挿入されたＩＣカードのユーザ登録情報に誕生日情報が含まれている場合、制御部１は、そのＩＣカードからユーザ登録情報を抽出し、その抽出情報を用いてユーザデータベースＵＤＢ内にそのユーザのレコードを作成するよう動作する。
【００３７】
選択ボタンＵ１、Ｕ２、又はＵ３の何れかがタッチされたとき、制御部１は、そのタッチされた選択ボタンをキーとして「選択ボタン」フィールドを検索する。タッチされた選択ボタンが例えば選択ボタンＵ１であるとき、制御部１は、レコードｒ１（すなわち「ユーザ名」フィールドに「ユーザ１」がエントリされているレコード）を抽出する。次いで画像処理部１３を制御し、抽出されたレコードｒ１の各データを用いた画像処理を実行させる。これにより、図４（ｂ）に示された画像が表示部７に表示される（Ｓ２）。
【００３８】
図４（ｂ）の画像にはユーザ１に関する情報（レコードｒ１の各フィールドにエントリされているデータ）が含まれる。またこの画像では、選択ボタンＢ、Ｅ、ＢＤ、及び、Ｙが配列される。選択ボタンＢは一つ前の画像に戻るためのものであり、「戻る」の文字が付されている。例えば表示部７に図４（ｂ）の画像が表示されているときに選択ボタンＢがタッチされると、その表示は図４（ａ）の状態に戻る。
【００３９】
選択ボタンＢＤは「誕生日」の文字が付されたものである。選択ボタンＢＤがタッチされると（Ｓ３：ＢＤ）、制御部１は、レコードｒ１の「誕生日」フィールドにエントリされているデータ（すなわち「１９８０／０１／０１」）を抽出する（Ｓ４）。次いで、この抽出された誕生日データと、楽曲データベースＭＵＤＢの各レコードの「発売日」フィールドにエントリされている楽曲の発売日データとを比較する。そして制御部１は比較の結果、ユーザ１の誕生日（すなわち１９８０年１月１日）以降に発売されたと判断される全ての楽曲をプレイリストＰＬにエントリする（Ｓ５）。
【００４０】
なお「プレイリストＰＬにエントリ」とは、その楽曲データを特定するための何らかの情報をプレイリストＰＬに書き込むことを意味する。ここでは曲名が「曲名」フィールドから抽出されてプレイリストＰＬにエントリされる。また、プレイリストＰＬにおいて各楽曲に関連付けられる序数（図２の「Ｎｏ．」）は、例えば各レコードに対する検索順序に依存したものであっても良く、或いは、楽曲名（例えば五十音順）に依存したものであっても良い。
【００４１】
制御部１は次いで、画像処理部１３を制御し、Ｓ５の処理で作成されたプレイリストＰＬを表示部７で表示させる（Ｓ６）。そして本フローチャートのプレイリスト作成処理を終了させる。
【００４２】
図４（ｃ）は、Ｓ６の処理において表示されるプレイリストＰＬの画像を示したものである。図４（ｃ）の画像には、各楽曲名が並べられたプレイリストＰＬ、及び、プレイリストＰＬを上又は下にスクロール表示させるためのアイコンＳＵ、ＳＤが配列される。また選択ボタンＢ、Ｅ、Ｐ、及び、Ｓが配列される。選択ボタンＰは楽曲を再生させるためのものであり、「再生」の文字が付されている。また選択ボタンＳは再生中の楽曲を停止させるためのものであり、「停止」の文字が付されている。
【００４３】
例えば表示部７に図４（ｃ）の画像が表示されているときに選択ボタンＰがタッチされると、オーディオ部１５は、プレイリストＰＬの序数（図２又は図４（ｃ）参照）にしたがって楽曲を順に再生させる。オーディオ部１５は先ず、序数が「１」の曲名をキーとして楽曲データベースＭＵＤＢを検索し、該当するレコードを抽出する。次いで、抽出されたレコードの「アドレス」フィールドを参照して当該アドレスにアクセスし、楽曲データを取得する。そしてこの楽曲データをデコードしてスピーカ１６に出力する。このような処理をプレイリストＰＬにエントリされた各楽曲に対して実行する。これにより、ユーザ１の誕生日以降に発売された楽曲がスピーカ１６で順次再生される。この結果、ユーザ１は自分の誕生日以降に発売された（自分の世代に合った）様々な楽曲を車内で楽しむことができる。
【００４４】
またプレイリストＰＬの何れかの曲名がタッチされた場合、オーディオ部１５は、それ以降の楽曲を序数にしたがって再生する。例えば序数が「３」の曲名がタッチされた場合、オーディオ部１５は、「３」以降の楽曲を序数にしたがって順に再生する。また例えば楽曲再生中に選択ボタンＳがタッチされた場合、オーディオ部１５は楽曲の再生を停止する。
【００４５】
図４（ｂ）の画像が表示されている際の処理の説明に戻る。図４（ｂ）に示される選択ボタンＹは「年齢」の文字が付されたものである。選択ボタンＹがタッチされると（Ｓ３：Ｙ）、制御部１は画像処理部１３を制御して画像処理を実行させる。これにより、図４（ｄ）に示された画像が表示部７に表示される（Ｓ７）。
【００４６】
図４（ｄ）の画像には「０」乃至「９」の数値が付された数値ボタン、選択ボタンＢ、Ｃ、Ｄ、及び、Ｅが配列される。また数値ボタンの上側には年齢指定フォームＦが配置されている。この画面において数値ボタンの何れかがタッチされると、制御部１は、そのタッチされた数値ボタンに対応した数値の入力を検知し、その入力結果（すなわち指定された年齢）を保持する。更に、その入力結果を年齢指定フォームＦ内に表示させる。例えば数値ボタン「２」、「０」の順にタッチされると、制御部１は入力結果として「２０」を保持し、年齢指定フォームＦ内に「２０」を表示させる。
【００４７】
ここで、選択ボタンＣには「クリア」の文字が付されている。選択ボタンＣがタッチされると、制御部１は保持していた入力結果を消去し、年齢指定フォームＦ内の表示も消す。また選択ボタンＤには「決定」の文字が付されている。選択ボタンＤがタッチされると、制御部１は、保持されている入力結果を用いてＳ８の演算処理を実行する。なお、ここでの入力結果は「２０」であるものとする。
【００４８】
Ｓ８の処理において制御部１は、レコードｒ１の「誕生日」フィールドにエントリされているデータ（すなわち「１９８０／０１／０１」）を抽出する。次いで、この誕生日データに基づいてユーザ１が２０歳であったときの期間（すなわち２０００年１月１日〜１２月３１日）を算出する。そして楽曲データベースＭＵＤＢを検索し、上記期間内に発売された全ての楽曲をプレイリストＰＬにエントリする（Ｓ９）。具体的には、制御部１は、各レコードの「発売日」フィールドにエントリされている楽曲の発売日データを参照して、その発売日が上記期間内であるか否かを判定する。そして期間内であると判定された楽曲をプレイリストＰＬにエントリする。
【００４９】
制御部１は次いで、画像処理部１３を制御し、Ｓ９の処理で作成されたプレイリストＰＬを表示部７で表示させる（Ｓ１０、図４（ｅ）の画像参照）。そして本フローチャートのプレイリスト作成処理を終了させる。なお図４（ｅ）は図４（ｄ）と同様の画面であるためその説明を省略する。
【００５０】
この場合、ユーザ１は自分が２０歳の時に発売された（自分の世代に合った）様々な楽曲を車内で楽しむことができる。
【００５１】
本実施形態によれば、上記プレイリスト作成処理を実行することにより、ユーザの世代に合った楽曲だけを収集したプレイリストＰＬが作成される。ユーザは例えば年齢を指定するだけで、所望の年代の楽曲だけを収集したプレイリストＰＬを得ることができる。すなわち本実施形態においてはプレイリストを作成する際の入力操作が簡便である。従ってユーザは上記入力操作を、例えば信号待ち等の短い期間でも余裕をもって完了させることができる。附言するに、自分とはかけ離れた世代の楽曲を排除したプレイリストＰＬを容易に得ることができる。
【００５２】
また本実施形態によれば、例えばＨＤＤ５に格納されている楽曲数が数千にも及ぶ場合であってもユーザに対して操作負担を強いることなく、所望の年代の楽曲を正確に収集することが可能である。
【００５３】
以上が本発明の実施の形態である。本発明はこれらの実施の形態に限定されるものではなく様々な範囲で変形が可能である。例えばプレイリストＰＬにおける楽曲の再生順序は上記序数に従ったものでなくても良く、ランダムな順序であっても良い。
【００５４】
また本実施形態ではユーザがある年齢（例えば２０歳）の時に発売された楽曲を集めたプレイリストＰＬを作成しているが、別の実施の形態では、ユーザがある年齢（例えば２０歳）以降であるときに発売された楽曲を集めたプレイリストＰＬを作成することも可能である。
【００５５】
また別の実施の形態では、例えば誕生日以外のユーザ情報（「ユーザ名」や「出身地」フィールド等にエントリされたデータ等）を用いてプレイリストＰＬを作成するようにしても良い。この場合、例えばユーザの出身地等に関連した楽曲を収集したプレイリストＰＬが作成されることになる。
【図面の簡単な説明】
【００５６】
【図１】本発明の実施の形態の車載器の構成を示したブロック図である。
【図２】本発明の実施の形態のＨＤＤに格納された楽曲データベー及びプレイリストを概略的に示した図である。
【図３】本発明の実施の形態の車載器で実行されるプレイリスト作成処理を示したフローチャートである。
【図４】本発明の実施の形態のプレイリスト作成処理を実行したときに表示部に表示される画像を示した図である。
【図５】本発明の実施の形態のＨＤＤに格納されたユーザデータベースを概略的に示した図である。
【符号の説明】
【００５７】
１  制御部
５  ＨＤＤ
６  入力部
７  表示部
８  ＲＯＭ
９  ＤＲＡＭ
１０  ＳＲＡＭ
１１  ナビゲーション部
１２  ユーザインタフェース
１３  画像処理部
１４  通信部
１５  オーディオ部
１６  スピーカ
１００  車載器
【図１】
2008009587.tif 000003
【図２】
2008009587.tif 000004
【図３】
2008009587.tif 000005
【図４】
2008009587.tif 000006
【図５】
2008009587.tif 000007